(57)【要約】【課題】剛性を低下させることなく、軽量化を図ることができる積層構造体を提供すること。【解決手段】外装パネル１０は、金属製の板材１１と、この板材の表面に一体化して設けられた樹脂製のリブ１２と、からなる。よって、板材１１を薄肉化しても、リブ１２により外装パネル１０の剛性を向上できるので、剛性を低下させることなく、軽量化を図ることができる。【選択図】図１
2011016275.tif 000002
【特許請求の範囲】
【請求項１】
金属製の板材と、当該板材の表面に一体化して設けられた樹脂製のリブと、からなることを特徴とする積層構造体。
【請求項２】
金属製の板材と、当該板材の表面に一体化して設けられた樹脂製のリブと、からなる積層構造体の製造方法であって、
前記板材の表面に表面処理材を塗布する第１の工程と、
前記板材の表面を加熱する第２の工程と、
前記板材の表面に熱可塑性樹脂を配置し、当該熱可塑性樹脂を前記板材に押し付ける第３の工程と、を備えることを特徴とする積層構造体の製造方法。
【請求項３】
金属製の板材と、当該板材の表面に一体化して設けられた樹脂製のリブと、からなる積層構造体の製造方法であって、
前記板材の表面に表面処理材を塗布する第１の工程と、
前記板材を加熱する第２の工程と、
前記板材の表面に熱硬化性樹脂を配置し、当該熱硬化性樹脂を前記板材に押し付ける第３の工程と、
前記板材および前記熱硬化性樹脂を冷却する第４の工程と、を備えることを特徴とする積層構造体の製造方法。
【請求項４】
金属製の板材と、当該板材の表面に一体化して設けられた樹脂製のリブと、からなる積層構造体を製造する積層構造体の製造装置であって、
前記板材を把持し、当該板材の位置および姿勢を変更する把持装置と、
前記板材の表面に表面処理材を塗布する処理材塗布部と、
熱可塑性樹脂を吐出する樹脂吐出部と、
前記樹脂吐出部から吐出された熱可塑性樹脂を前記板材に押し付ける樹脂押圧装置と、を備えることを特徴とする積層構造体の製造装置。
【発明の詳細な説明】
【技術分野】
【０００１】
本発明は、積層構造体、積層構造体の製造方法、および積層構造体の製造装置に関する。詳しくは、自動車のフェンダーやルーフ等の自動車用外装部品等に用いられる積層構造体、積層構造体の製造方法、および積層構造体の製造装置に関する。
【背景技術】
【０００２】
本発明は、自動車のフェンダーやルーフ等の自動車用外装部品等に用いられる部材並びにその製造方法に関するものである。
従来より、フェンダーやルーフ等の自動車の外装部品は、剛性を確保するため、鉄等の金属で形成されている（特許文献１参照）。
【先行技術文献】
【特許文献】
【０００３】
【特許文献１】特開２００８−１７３８９４号公報
【発明の概要】
【発明が解決しようとする課題】
【０００４】
ところで、燃費の向上や生産コストを低減するため、以上の外装部品の軽量化が要請されている。
この問題を解決するため、外装部品を薄肉化することが考えられるが、薄肉化した場合、外装部品の表面を押すとこの表面が凹むような感触があり、剛性が低下する、といった問題があった。
【０００５】
本発明は、剛性を低下させることなく、軽量化を図ることができる積層構造体、積層構造体の製造方法、および積層構造体の製造装置を提供することを目的とする。
【課題を解決するための手段】
【０００６】
本発明の積層構造体（例えば、後述の外装パネル１０）は、金属製の板材（例えば、後述の板材１１）と、当該板材の表面に一体化して設けられた樹脂製のリブ（例えば、後述のリブ１２）と、からなることを特徴とする。
【０００７】
この発明によれば、金属製の板材の表面に樹脂製のリブを一体化して設けて、積層構造体とした。よって、板材を薄肉化しても、リブにより積層構造体の剛性を向上できるので、剛性を低下させることなく、軽量化を図ることができる。
【０００８】
本発明の積層構造体の製造方法は、金属製の板材と、当該板材の表面に一体化して設けられた樹脂製のリブと、からなる積層構造体の製造方法であって、前記板材の表面に表面処理材を塗布する第１の工程と、前記板材の表面を加熱する第２の工程と、前記板材の表面に熱可塑性樹脂を配置し、当該熱可塑性樹脂を前記板材に押し付ける第３の工程と、を備えることを特徴とする。
【０００９】
この発明によれば、板材の表面に表面処理材を塗布し、板材の表面を加熱して、板材の表面に熱可塑性樹脂を配置し、この熱可塑性樹脂を板材に押し付けた。これにより、金属製の板材の表面に、熱可塑性樹脂製のリブを一体化できる。
【００１０】
本発明の積層構造体の製造方法は、金属製の板材と、当該板材の表面に一体化して設けられた樹脂製のリブと、からなる積層構造体の製造方法であって、前記板材の表面に表面処理材を塗布する第１の工程と、前記板材を加熱する第２の工程と、前記板材の表面に熱硬化性樹脂を配置し、当該熱硬化性樹脂を前記板材に押し付ける第３の工程と、前記板材および前記熱硬化性樹脂を冷却する第４の工程と、を備えることを特徴とする。
【００１１】
この発明によれば、板材の表面に表面処理材を塗布し、この板材を加熱して、板材の表面に熱硬化性樹脂を配置し、この熱硬化性樹脂を板材に押し付けて、板材および熱硬化性樹脂を冷却した。これにより、金属製の板材の表面に、熱硬化性樹脂製のリブを一体化できる。
【００１２】
本発明の積層構造体の製造装置（例えば、後述の外装パネル製造装置１）は、金属製の板材と、当該板材の表面に一体化して設けられた樹脂製のリブと、からなる積層構造体を製造する積層構造体の製造装置であって、前記板材を把持し、当該板材の位置および姿勢を変更する把持装置（例えば、後述の搬送ロボット３）と、前記板材の表面に表面処理材を塗布する処理材塗布部（例えば、後述の処理材塗布部４１１）と、熱可塑性樹脂を吐出する樹脂吐出部（例えば、後述の樹脂吐出部４１２）と、前記樹脂吐出部から吐出された熱可塑性樹脂を前記板材に押し付ける樹脂押圧装置（例えば、後述の成形ローラ４１３）と、を備えることを特徴とする。
【００１３】
この発明によれば、把持装置、処理材塗布部、樹脂吐出部、樹脂押圧装置を含んで積層構造体の製造装置を構成した。したがって、まず、把持装置で板材を把持し、処理材塗布部により、この把持した板材の表面に表面処理材を塗布する。次に、樹脂吐出部により、板材の表面処理材を塗布した部分に熱可塑性樹脂を吐出し、樹脂押圧装置により、この樹脂吐出部から吐出された熱可塑性樹脂を板材に押し付ける。これにより、金属製の板材の表面に樹脂製のリブを一体化して、積層構造体を形成できる。
【発明の効果】
【００１４】
本発明によれば、金属製の板材の表面に樹脂製のリブを一体化して設けて、積層構造体とした。よって、板材を薄肉化しても、リブにより積層構造体の剛性を向上できるので、剛性を低下させることなく、軽量化を図ることができる。
【図面の簡単な説明】
【００１５】
【図１】本発明の一実施形態に係る積層構造体の模式図である。
【図２】前記実施形態に係る積層構造体の製造装置の構成を示す模式図である。
【図３】前記実施形態に係る積層構造体の製造装置の一部の拡大側面図である。
【発明を実施するための形態】
【００１６】
以下、本発明の一実施形態を図面に基づいて説明する。
図１は、本発明の一実施形態に係る積層構造体としての外装パネル１０の全体斜視図である。
外装パネル１０は、フェンダーパネルであり、鉄製の板材１１と、この板材１１の表面に一体化して設けられた樹脂製のリブ１２と、を備える。
板材１１の図１中下側の表面は、外装パネル１０の外面であり、板材１１の図１中上側の表面は、外装パネル１０の内面である。この板材１１は、プレス成形により、一端側が内面側に向かって湾曲した形状である。
リブ１２は、板材１１の内面に格子状に形成されている。
【００１７】
図２は、外装パネル１０を製造する、積層構造体の製造装置としての外装パネル製造装置１の構成を示す模式図である。
外装パネル製造装置１は、プレス成形が完了した板材１１の内面に、リブ１２を形成した外装パネル１０とするものである。
この外装パネル製造装置１は、板材１１をストックする第１ストッカ２と、板材１１を把持して搬送する把持装置としての搬送ロボット３と、板材１１にリブを形成するリブ形成ロボット４と、リブ１２を形成した板材１１つまり外装パネル１０をストックする第２ストッカ５と、を備える。
【００１８】
第１ストッカ２は、プレス成形が完了した板材１１を、加熱しながら積層状態で保持する。
【００１９】
第２ストッカ５は、リブ１２が形成された板材１１を、加熱しながら積層状態で保持する。
【００２０】
搬送ロボット３は、板材１１を把持する把持部３１と、この把持部３１の３次元空間上の位置および姿勢を変化させる多関節アーム３２と、を備える。この搬送ロボット３は、把持部３１で板材１１を把持し、多関節アーム３２により把持部３１の位置および姿勢を変更することで、板材１１の位置および姿勢を変更する。
【００２１】
リブ形成ロボット４は、リブ形成部４１と、このリブ形成部４１を支持する本体４２と、を備える。
図３は、リブ形成ロボット４のリブ形成部４１の拡大側面図である。
リブ形成部４１は、表面処理材を吐出する処理材塗布部４１１と、樹脂を吐出する樹脂吐出部４１２と、樹脂を成形する樹脂押圧装置としての成形ローラ４１３と、を備える。
【００２２】
以上の外装パネル製造装置１は、以下のように動作する。
まず、第１ストッカ２により、プレス成形が完了した板材１１を加熱しておく。
次に、搬送ロボット３の把持部３１により、第１ストッカ２で保持した板材１１を把持し、搬送ロボット３の多関節アーム３２を駆動して、リブ形成ロボット４まで搬送する。
【００２３】
次に、リブ形成ロボット４の処理材塗布部４１１により、板材１１の内面に表面処理材を塗布し、樹脂吐出部４１２により板材１１の表面処理材を塗布した部分に樹脂を吐出する。そして、成形ローラ４１３により吐出した樹脂を板材１１の表面に押し付けてリブ１２を形成する。
【００２４】
次に、搬送ロボット３の多関節アームを駆動して、リブ１２が形成された板材１１を、第２ストッカ５まで搬送する。
【００２５】
そして、第２ストッカ５は、搬送ロボット３により搬送された板材１１を冷却する。
【実施例】
【００２６】
以下、５種類の樹脂と３種類の板材との組合せについて、表面処理の有無と接着力との関係を評価した。
具体的には、樹脂として、４種類の熱可塑性樹脂と１種類の熱硬化性樹脂を用いた。すなわち、熱可塑性樹脂としては、ＰＰ系のポリプロピレン、ＰＡ／ＰＰＥ系のポリアミド／ポリフェレンエーテル、ＰＡ６系のポリアミド６、芳香族ＰＡ系の芳香族ポリアミドを用いた。また、熱硬化性樹脂としては、ＰＵ系（２液混合材料）のポリウレタンを用いた。
また、板材として、合金化溶融亜鉛メッキ鋼板、メッキ無し鋼板、アルミ板を用いた。
【００２７】
表面処理材として、オクタンを４０〜５０重量％、ノナンを２０〜３０重量％、ブタンを１０〜２０重量％、プロパンを１５〜２５重量％用いた。また、表面処理方法としては、板材の表面に表面処理材を吹き付け塗布し、紙ウエスで拭いて、表面の油脂などを除去した。
【００２８】
樹脂として熱可塑性樹脂を用いた場合、以下の手順で、実験を行った。
まず、板材の上面に表面処理を行った。次に、この板材をホットプレート上に載置し、ホットプレートにより板材を樹脂が溶ける温度まで加熱した。この加熱する温度は、樹脂メーカが推奨する成形温度に基づいて決定した。
次に、樹脂のペレットを板材上に載置し、このペレット上に７ｋｇのおもりを１０分間載置して、樹脂ペレットを板材に押し付けた。このとき、おもりによる加圧力は、０．０１ＭＰａ程度である。
その後、おもりを取り外し、板材を冷却して、板材と樹脂との接着面を評価した。
【００２９】
一方、樹脂として熱硬化性樹脂を用いた場合、以下の手順で、実験を行った。
まず、板材の上面に表面処理を行った。次に、金型を６５℃まで加熱し、この加熱した金型内に板材を配置することで、板材を加熱した。一方で、熱硬化性樹脂を２液混合しておき、この熱硬化性樹脂を金型内の板材の表面に載置して、５分間型締めした。この型締めによる加圧力は、０．５ＭＰａ以下である。
その後、金型を開いて板材を取り出して冷却し、板材と樹脂との接着面を評価した。
【００３０】
以上の組合せのうち、板材に表面処理を行い、樹脂としてＰＡ／ＰＰＥ系、ＰＡ６系、芳香族ＰＡ系、およびＰＵ系を用いた組合せを実施例とし、その他の組合せを比較例として、実験を行った。実験結果を表に示す。
【表１】
2011016275.tif 000003
【００３１】
表中、評価が×とは、工具を使用することなく、樹脂が接着界面で板材から剥離したことを意味する。また、評価が△とは、工具を使用すると、樹脂が接着界面で板材から剥離したことを意味する。また、評価が○とは、工具を使用して樹脂を板材から剥離させても、接着界面で樹脂を剥離できず、多少の樹脂が板材上に残ったことを意味する。
【００３２】
表より、ＰＡ／ＰＰＥ系、ＰＡ６系、芳香族ＰＡ系、およびＰＵ系については、表面処理を行うことにより、樹脂の板材に対する接着力が向上することが判る。
このうち、特に、ＰＡ６系、芳香族ＰＡ系、およびＰＵ系については、表面処理を行うことにより、接着力が大幅に向上することが判る。
これは、脱脂により板材表面の有機物等が取り除かれたり、表面処理により板材表面の接触角が小さくなり濡れ性が高まったりしたため、と考えられる。
【００３３】
本実施形態によれば、以下のような効果がある。
（１）金属製の板材１１の表面に樹脂製のリブ１２を一体化して設けて、外装パネル１０とした。よって、板材１１を薄肉化しても、リブ１２により外装パネル１０の剛性を向上できるので、剛性を低下させることなく、軽量化を図ることができる。
【００３４】
（２）板材１１の表面に表面処理材を塗布し、板材１１の表面を加熱して、板材１１の表面に熱可塑性樹脂を配置し、この熱可塑性樹脂を板材１１に押し付けた。これにより、金属製の板材１１の表面に、熱可塑性樹脂製のリブ１２を一体化できる。
【００３５】
（３）板材１１の表面に表面処理材を塗布し、この板材１１を加熱して、板材１１の表面に熱硬化性樹脂を配置し、金型を型締めして、この熱硬化性樹脂を板材１１に押し付けた。これにより、金属製の板材１１の表面に、熱硬化性樹脂製のリブ１２を一体化できる。
【００３６】
（４）搬送ロボット３、処理材塗布部４１１、樹脂吐出部４１２、成形ローラ４１３を含んで、外装パネル製造装置１を構成した。したがって、まず、搬送ロボット３で板材１１を把持し、処理材塗布部４１１により、この把持した板材１１の表面に表面処理材を塗布する。次に、樹脂吐出部４１２により、板材１１の表面処理材を塗布した部分に熱可塑性樹脂を吐出し、成形ローラ４１３により、この樹脂吐出部４１２から吐出された熱可塑性樹脂を板材に押し付ける。これにより、板材１１の表面に樹脂製のリブ１２を一体化して、外装パネル１０を形成できる。
【００３７】
なお、本発明は前記実施形態に限定されるものではなく、本発明の目的を達成できる範囲での変形、改良等は本発明に含まれるものである。
【符号の説明】
【００３８】
１          外装パネル製造装置（積層構造体の製造装置）
３          搬送ロボット（把持装置）
１０        外装パネル（積層構造体）
１１        板材
１２        リブ
４１１      処理材塗布部
４１２      樹脂吐出部
４１３      成形ローラ（樹脂押圧装置）
【図１】
2011016275.tif 000004
【図２】
2011016275.tif 000005
【図３】
2011016275.tif 000006